(57)【要約】【課題】簡単に自分のゴルフクラブのスィング軌道が目視で確認できる方法及び用具の提供。【解決手段】  ゴルフクラブのスウィング軌道を確認する方法であって、ゴルフクラブに水を保持させるための機構と、該機構に保持された水がスウィング時の遠心力によってゴルフクラブのシャフトの軸の方向と同じ方向に排出される機構とを具備させることにより、該水を保持するための機構に保持された水がゴルフクラブのスウィング時の遠心力で飛散する軌跡を目視で確認することを特徴とするゴルフクラブスィング軌道の確認方法。該水を保持させるための機構は、ポリオレフィン系樹脂からなる連続気孔を持つ親水性樹脂多孔質体であることが好ましい。【選択図】なし【特許請求の範囲】
【請求項１】
ゴルフクラブのスウィング軌道を確認する方法であって、ゴルフクラブに配置された機構に保たれた水がゴルフクラブのスウィング時の遠心力で飛散する軌跡を目視で確認することを特徴とするゴルフクラブスィング軌道の確認方法。
【請求項２】
ゴルフクラブのスウィング軌道を確認するためにゴルフクラブに装着される用具であって、水を保持させるための機構と、装着時に該機構に保持された水をスウィング時の遠心力によってクラブシャフトの軸の方向と同じ方向に排出させるための機構とを具備したことを特徴とするゴルフクラブスィング軌道の確認用具。
【請求項３】
前記水を保持させるための機構は、連続気孔を持つ親水性樹脂多孔質体であることを特徴とする請求項２記載のゴルフクラブスィング軌道の確認用具。
【請求項４】
親水性樹脂多孔質体はポリオレフィン系樹脂から成ることを特徴とする請求項３記載のゴルフクラブスィング軌道の確認用具。
【請求項５】
親水性多孔質体を形成するポリオレフィン系樹脂は、メルトマスフローレイトが５０ｇ／１０分以下、密度が８９０〜９７０ｋｇ／ｍ3のポリエチレンであることを特徴とする請求項３記載のゴルフクラブスィング軌道の確認用具。
【発明の詳細な説明】
【技術分野】
【０００１】
本発明は、ゴルフクラブスィング軌道の確認方法に及びその用具に関する。
更に詳しくは、ゴルフクラブを振った時に、ゴルフクラブに配置された用具に含まれる水が遠心力で飛散する軌跡を目視で確認することでゴルフクラブのスィング軌道を確認できる方法及び用具に関する。
【背景技術】
【０００２】
ゴルフは、打球を自分の希望する地点に如何に近づけるか、を競う競技といっても過言ではない。そのためにはボールの飛距離とボールの飛び出し方向及びボールの飛び方が重要である。
【０００３】
ボールの飛距離を決めるのは、同一のゴルフクラブ（ロフト角度、クラブシャフトの剛性などが同一のクラブ）を用いて同一のボールを打つことを考えた場合、ゴルフクラブのスウィング速度で決まると考えられる。
また、ボールの飛び出し方向はゴルフクラブのスウィング軌道で決まると考えられる。
一方、ボールの飛び方は、ゴルフクラブの打球面の向きとゴルフクラブのスィング軌道とで左右されると考えられる。即ち、打球の回転方向によりまっすぐに、或いは左右に曲がって飛ぶと考えられる。
【０００４】
一般のアマチュアゴルファーにとって、最も難しいのは自分のスィング軌道を確認することである。勿論、自分の打球の飛び出し方向及び飛び方である程度の推定は出来るが、実際のスウィング軌道をその場で確認し、自分のスウィングフォームを修正して行くことが一般のアマチュアゴルファーにとって長年の夢であった。
【０００５】
自分のスィング軌道を確認するには、誰か他の人に見てもらう、自分のスウィングを撮影して確認する等の方法が取られる。しかし、前者ではよほど熟練した人に見てもらわなければ正確には分からないと言う問題がある。
また、後者の方法としては、例えば特許文献１〜３に開示されている方法があるが、これらの方法には撮影用機材が必要であり、また操作が煩雑である、などの問題がある。
また、例えば特許文献４、５にはゴルフクラブのスィング軌道確認装置が開示されているが、特許文献４の方法ではマットを傷める、ゴルフクラブの種類に対応した装置を用意するかゴルフクラブの種類に応じて装置を調整する必要があるなどの問題がある。また特許文献５の方法では、人間の目の残像効果を利用するものであるから正確性に欠けるなどの問題がある。
【０００６】
【特許文献１】特開平８−２５７１９１号公報
【特許文献２】特開平８−２９９５１８号公報
【特許文献３】特開２００２−３０１１７２号公報
【特許文献４】特開平７−１６３２４号公報
【特許文献５】特開２００２−３４６０１４号公報
【発明の開示】
【発明が解決しようとする課題】
【０００７】
本発明は、上記のような状況に鑑み、簡単に自分のスィング軌道が目視で確認できる方法及び用具を提供することにある。
【課題を解決するための手段】
【０００８】
本発明者は上記課題を解決するべく鋭意検討を進めた結果、水を保持し、クラブのスイング時に水を排出する手段をゴルフクラブに装着することにより、簡単に自分のスィング軌道が目視で確認できることを見出して本発明を完成した。
すなわち、本願発明は以下の（１）〜（５）に記載するとおりのものである。
【０００９】
（１）ゴルフクラブのスウィング軌道を確認する方法であって、ゴルフクラブに配置された機構に保たれた水がゴルフクラブのスウィング時の遠心力で飛散する軌跡を目視で確認することを特徴とするゴルフクラブスィング軌道の確認方法。
（２）ゴゴルフクラブのスウィング軌道を確認するためにゴルフクラブに装着される用具であって、水を保持させるための機構と、装着時に該機構に保持された水をスウィング時の遠心力によってクラブシャフトの軸の方向と同じ方向に排出させるための機構とを具備したことを特徴とするゴルフクラブスィング軌道の確認用具。
（３）前記水を保持させるための機構は、連続気孔を持つ親水性樹脂多孔質体であることを特徴とする請求項２記載のゴルフクラブスィング軌道の確認用具。
（４）親水性樹脂多孔質体はポリオレフィン系樹脂から成ることを特徴とする請求項３記載のゴルフクラブスィング軌道の確認用具。
（５）親水性樹脂多孔質体を形成するポリオレフィン系樹脂は、メルトマスフローレイトが５０ｇ／１０分以下、密度が８９０〜９７０ｋｇ／ｍ3のポリエチレンであることを特徴とする請求項３記載のゴルフクラブスィング軌道の確認用具。
【発明の効果】
【００１０】
本発明は、ゴルフクラブに配置された用具に含まれる水が遠心力で飛散した軌跡を目視で確認できるので、自分のスウィング軌道がその場で確認出来る。
【発明を実施するための最良の形態】
【００１１】
以下に詳細に説明する。
本発明のゴルフクラブのスウィング軌道を確認する方法は、ゴルフクラブに配置された用具に含まれる水が遠心力で飛散する軌跡を目視で確認することを特徴とするものである。
即ち、半発明は、ゴルフクラブのシャフト等に用具を配置し、その用具に含まれる水がスィング時の遠心力で飛散して地面に軌跡をつけ、その軌跡を目視で確認する方法である。
本発明において水を含ませる用具は、スィングの妨げにならないこと、一定量の水を一定時間保持できること、装着時に該用具に含まれた水がスィング時の遠心力でシャフトの軸の方向と同じ方向に排出されて地面に軌跡をつけること、等の条件を満たすものであれば良い。なお、本発明でいう「同じ方向」とは、シャフトの軸の方向と水が排出される方向とが厳密に同一の方向である必要はなく、本発明の目的を損なわない限り多少のずれがあってもよい。
例えば毛細管現象が発現するような内径をもつチューブ状のものでも良いし、水の出る細管等を備えた容器でも良いし、更にはスポンジ状のものでも良い。
【００１２】
中でも、連続気孔を持つ親水性樹脂多孔質体は、軽量である、剛性がある、水を吸う、水を吸っても形状・強度が変わらない、遠心力で水を排出する等の特徴があることから最も好適に使用される。
本発明にいう親水性樹脂多孔質体を構成する樹脂とは、セルロース系等の天然樹脂の他に、フェノール樹脂、ユリア樹脂、メラミン樹脂、ポリエステル、アリル樹脂、エポキシ樹脂等に代表される熱硬化性樹脂、ポリ塩化ビニル、ポリエチレン、ポリプロピレン、ポリスチレン、ポリメチルメタアクリレート、ポリアミド、ポリアセタール、ポリカーボネート等に代表される熱可塑性樹脂等である。
【００１３】
これらの中でも、賦形性、二次加工性等を考慮すると熱可塑性樹脂がよい。更に熱可塑性樹脂の中でも、安価であること、耐薬品性に優れること、加工性に優れること、素材の吸湿性・吸水性が低いこと等から、ポリエチレン、ポリプロピレンに代表されるポリオレフィン系樹脂が好ましい。
ポリオレフィン系樹脂としては、エチレンの単独重合体、エチレンとプロピレン、ブテン−１、ヘキセン−１、オクテン−１のような１種以上のαオレフィンとの共重合体、エチレンと酢酸ビニル、アクリル酸、メタアクリル酸、アクリル酸エステル、メタアクリル酸エステルなどとの共重合体、プロピレンの単独重合体、プロピレンとエチレン、ブテン−１の様な１種以上のαオレフィンとの共重合体等が挙げられる。中でも、連続気孔を形成する際に多くの場合焼結成形の手法が用いられるが、その時の粉末を得やすいこと、焼結成形が容易であること、耐薬品性に優れること、素材自身の吸湿吸水性が低いこと等の理由から、ポリエチレンが良い。
【００１４】
ポリエチレンは、スルフォン化、親水性モノマーのグラフト、特定の界面活性剤の添加、親水性の層を設ける等公知の方法で親水化される。親水化の方法としては特に、特開平１−６５１４２号公報に開示された方法で行うのが好ましい。本発明において親水性とは、多孔質体の表面に約０．０５ｃｃの水滴を滴下し、その水滴が全量多孔質成形体に吸収される時間が３０秒以下のものを言う。
【００１５】
本発明において使用されるポリエチレンのメルトマスフローレイトは５０ｇ／１０分以下のものがよく、より好ましくは３０ｇ／１０分以下、更に好ましくは１０ｇ／１０分以下である。連続気孔を形成する手段として焼結成形を考えた場合、５０ｇ／１０分を超えると、焼結成形をしたときに樹脂の溶融と共に流動が起こり、連続気孔を形成しないので好ましくない。尚、メルトマスフローレイトは、ＪＩＳ  Ｋ７２１０-1999に基づき、条件コードＤ（条件：温度；１９０℃、荷重；２．１６ｋｇ）で測定した値である。
【００１６】
また、本発明において使用されるポリエチレンの密度は８９０〜９７０ｋｇ／ｍ3の物が良い。密度が８９０ｋｇ／ｍ3未満では柔軟性に富むが、耐薬品性に劣ることと、融点が低くなり、成形可能範囲が狭くなるので好ましくない。尚、密度は、ＪＩＳ  Ｋ７１１２-1999の密度こうばい管で測定したものである。
【００１７】
これらの樹脂を用いて連続気孔を形成するには、公知の方法が用いられる。例えば、発泡成形、焼結成形等の手法が主に用いられるが、そのほかに例えば抽出可能な成分と共に溶融させた樹脂で成形体を作った後、抽出可能な成分を抽出して連続気孔を形成することも可能である。中でも、焼結成形は粉体を希望の形状の金型中に充填し、加圧又は無加圧状態で加熱することで連続気孔を形成できるので最も好ましい。
本発明にいう連続気孔とは、成形体のある面から他の面へ気孔が連続している物をいう。この気孔は直線的でも良いし曲線的でも良い。
尚、気孔は全体が均一な寸法であっても良いし、例えば表層と内部、或いは一つの表層と他の表層とで気孔の寸法を変えた物でも良い。
【００１８】
また、本発明の親水性多孔質体の気孔率は、３０〜８０％のものが良い。気孔率が３０％未満では実質的に多孔体としての機能を示さないし、８０％を超えると樹脂多孔体の強度が低くなり、好ましくない。ここでいう気孔率は次式で算出される。
気孔率（％）＝［（真の密度−見掛けの密度）／真の密度］×１００
尚、気孔率は全体が均一でも良いし、表層と内部とで変えても良い。ここで言う真の密度は、ＪＩＳ  Ｋ７１１２-1999の密度こうばい管で測定したもので、見かけの密度は、ＪＩＳ  Ｋ７２２２-1999で測定した見掛け密度のことである。
【００１９】
なお、本発明において用いる親水性樹脂多孔質焼結体は表面或いは内部に布、織物、編み物、不織布、フィルム等本発明の多孔性を阻害しないものとの複合化も可能である。また、着色、印刷等により意匠性を持たせることも可能である。更には、特定成分の吸着剤、吸湿剤、防かび剤、抗菌剤、熱安定剤、光安定剤、吸臭剤、脱臭剤、香料等を添加することも可能である。これら添加剤を加える際には流動パラフィンのような展着剤を用いても良い。
【００２０】
また、本発明のゴルフクラブスィング軌道の確認用具の装着方法としては次の態様を挙げることができる。
１）確認用具をクラブシャフトの内部に取り付けると共にソールに水の排出穴を設けて、この穴から確認用具内に保持された水をスイング時の遠心力によって排出させる。
２）確認用具をクラブシャフトの手前側又は側面側に取り付ける。
以下実施例により本発明を具体的に説明する。
【実施例】
【００２１】
［実施例１］
ＪＩＳ  Ｋ７２１０-1999に基き、条件コードＤで測定したメルトマスフローレイトが０．０ｇ／１０分、密度が９４０ｋｇ／ｍ3のポリエチレン粉末（旭化成ケミカルズ株式会社製、登録商標サンファインＳＨ−９０１）１００重量部に、ポリオキシソルビタンモノラウレート０．３重量部を高速ミキサーにて混合し、親水性粉体を得た。該親水性粉体を、直径約１０ｍｍ、長さ約１００ｍｍ、の空隙を持つアルミニウム製の金型に充填して、金型の表面温度が１７０℃になるまで加熱し、親水性樹脂多孔質焼結体を得た。
該親水性樹脂多孔質焼結体の気孔率は４５％であった。また、該親水性樹脂多孔質焼結体に約０．０５ｃｃの水を滴下させたところ３０秒以内に内部に吸収された。
該親水性樹脂多孔質焼結体を、水中に浸漬させ、その内部に水を含ませた。該水を含んだ親水性樹脂多孔質焼結体をゴルフクラブのシャフトに装着した。この時、親水性樹脂多孔質焼結体は、シャフトと平行に、なるべくクラブヘッドに近くなるように装着した。
この状態でスウィングを行ったところ、地面に水滴が飛散し、その跡が明瞭に目視で確認できた。
【００２２】
［実施例２］
実施例１と同様にして得た親水性樹脂多孔質焼結体を、内径約１０ｍｍ、肉厚約１ｍｍ、長さ約１００ｍｍの低密度ポリエチレン製チューブ内に装着し、それをゴルフクラブのシャフトに取り付けた。この時、該ポリエチレン製チューブ内は、シャフトと平行に、なるべくクラブヘッドに近くなるように取り付けた。該ポリエチレン製チューブ内にスポイトで水を約３cc滴下したところ、その水は全て親水性樹脂多孔質焼結体に吸収された。
この状態でゴルフクラブを振ったところ、地面に水滴が飛散し、その跡が明瞭に目視で確認できた。
【００２３】
［比較例１］
市販の弁当などについている、ポリエチレン製の調味料容器（縦、横各々約１０ｍｍ、高さ約３０ｍｍ、口の内径約５ｍｍ）に水を入れて、栓をしないで出口を下にした状態でゴルフクラブのシャフトに取り付けた。この時、該容器は、シャフトと平行に、なるべくクラブヘッドに近くなるように取り付けた。
この状態でゴルフクラブを振ったところ、振り出した最初の方には水滴の跡が確認できたが、最初の方で大部分の水が出てしまい、振り終わりの方は水滴の跡は確認できなかった。
【産業上の利用可能性】
【００２４】
本発明の方法によれば、容易にゴルフクラブスィング軌道を確認することができるので、ゴルフをする人がゴルフクラブスイングを矯正するための手段として好適に利用できる。